(57)【要約】【課題】外装部材が局所的に熱くなることを防止すると共に、組み立てが容易な放熱構造を有する撮像装置を提供する。【解決手段】撮像装置の一例であるデジタルカメラは、三脚を取り付けるための三脚座１０と、電気部品等を実装した第１の基板１３ａと、電気部品と熱接続される導熱部材１１とを備える。三脚座１０は庇形状部１８を有し、導熱部材１１は、庇形状部１８へと伸長して庇形状部１８の内側に接触しており、電気部品で発生した熱を庇形状部１８へと伝導させる。【選択図】図３
2013130625.tif 000002
【特許請求の範囲】
【請求項１】
三脚を取り付けるための三脚座を備える撮像装置であって、
電気部品を実装した第１の基板と、
前記電気部品と熱接続される導熱部材とを備え、
前記三脚座は庇形状部を有し、
前記導熱部材は、前記庇形状部へと伸長して前記庇形状部の内側に接触して、前記電気部品で発生した熱を前記庇形状部へと伝導させることを特徴とする撮像装置。
【請求項２】
第２の基板と、
前記第１の基板と電気的に接続され、前記庇形状部の内側において前記導熱部材と前記三脚座の本体部との間を通るように配置されるフレキシブル基板とを備え、
前記庇形状部の内側において前記導熱部材と前記フレキシブル基板との間に配置され、前記フレキシブル基板を前記三脚座の本体部に押し付け、前記導熱部材を前記庇形状部に押し付ける弾性体と、を更に備えることを特徴とする請求項１記載の撮像装置。
【請求項３】
前記弾性体は熱伝導性を有し、前記導熱部材から前記弾性体を介して前記フレキシブル基板へ熱接続されることを特徴とする請求項２記載の撮像装置。
【請求項４】
前記第１の基板と前記第２の基板は、前記撮像装置が備える鏡筒を挟むように配置されており、
前記三脚座は前記鏡筒の下側に配置されていることを特徴とする請求項２又は３に記載の撮像装置。
【請求項５】
前記導熱部材はネジにより前記第１の基板に取り付けられ、
前記導熱部材における前記庇形状部との接触部と前記ネジの螺合部との間の位置において前記導熱部材を支持する支持部を備え、
前記導熱部材を前記ネジにより前記第１の基板に取り付けると、前記支持部を支点として、前記導熱部材と前記庇形状部との接触が強められることを特徴とする請求項１乃至４のいずれか１項に記載の撮像装置。
【請求項６】
前記導熱部材は、前記三脚座の側の端部に形成された引掛け形状部を有し、
前記撮像装置に外力が加わった際に、前記引掛け形状が前記三脚座の前記庇形状部の側面に引っ掛ることで前記導熱部材が前記外力を受け止めることを特徴とする請求項１乃至５のいずれか１項に記載の撮像装置。
【発明の詳細な説明】
【技術分野】
【０００１】
本発明は、放熱手段を有する撮像装置に関する。
【背景技術】
【０００２】
近年、デジタルカメラのような撮像装置では、静止画の高画質化のみならず、動画の高画質化が進んでいる。高画質動画撮影を長時間にわたって続けると、撮像装置の本体内部に配設されている基板上に実装された電気部品／電子部品が発熱し、撮像装置の本体内部に熱が籠もることによって、動作異常等の不具合が発生するおそれがある。そこで、電気部品等で発生した熱を撮像装置の外装部材へ逃がす構造が提案されている（例えば、特許文献１参照）。
【先行技術文献】
【特許文献】
【０００３】
【特許文献１】特開２００５−６４１４６号公報
【発明の概要】
【発明が解決しようとする課題】
【０００４】
しかしながら、上記特許文献１に記載された構造では、発生した熱量が大きい場合には、外装部材が局所的に熱くなってしまい、例えば、撮影者等が直接に指等でその発熱部に触れていた場合に、撮像装置をホールドできずに落としてしまうおそれがある。また、発熱部に触れていた撮影者の指が火傷を負うおそれもある。
【０００５】
本発明は、外装部材が局所的に熱くなることを防止する放熱手段を有する、組み立ての容易な撮像装置を提供することを目的とする。
【課題を解決するための手段】
【０００６】
本発明に係る撮像装置は、三脚を取り付けるための三脚座を備える撮像装置であって、電気部品を実装した第１の基板と、前記電気部品と熱接続される導熱部材とを備え、前記三脚座は庇形状部を有し、前記導熱部材は、前記庇形状部へと伸長して前記庇形状部の内側に接触して、前記電気部品で発生した熱を前記庇形状部へと伝導させることを特徴とする。
【発明の効果】
【０００７】
本発明によれば、電気部品／電子部品で発生した熱を分散させながら三脚座へ逃がすことにより、外装部材が局所的に熱くなることを防止することができる。また、導熱部材を三脚座の庇形状部に対して容易に接続することができる構造としているため、撮像装置の組み立てが容易である。
【図面の簡単な説明】
【０００８】
【図１】本発明の実施形態に係るデジタルカメラの外観斜視図である。
【図２】図１のデジタルカメラの正面図である。
【図３】図１のデジタルカメラにおける第１実施形態に係る放熱構造を示す断面図である。
【図４】図１のデジタルカメラにおける第２実施形態に係る放熱構造を示す断面図である。
【図５】図１のデジタルカメラにおける第３実施形態に係る放熱構造を示す断面図である。
【図６】図１のデジタルカメラの底面図である。
【発明を実施するための形態】
【０００９】
以下、本発明の実施の形態について添付図面を参照して詳細に説明する。本実施形態では、撮像装置として、静止画撮影に加えて動画撮影も可能なコンパクトタイプのデジタルカメラを取り上げることとする。但し、本発明はこれに限定されるものではなく、一眼レフタイプのデジタルカメラや、デジタルビデオカメラ等の各種の撮像装置に適用することができる。
【００１０】
＜デジタルカメラの概略構造＞
図１は、本発明の実施形態に係るデジタルカメラの外観斜視図である。カメラ本体１の前面部にレンズ鏡筒２が設けられており、図１にはレンズ鏡筒２がカメラ本体１内に沈胴している停止状態が描画されている。カメラ本体１の上面に設けられた電源スイッチ３をオンすると、レンズ鏡筒２がカメラ本体１から繰り出して、撮影が可能な状態となる。また、カメラ本体１の前面部には、自動で又は手動で発光させることができるストロボ発光部９が設けられている。
【００１１】
カメラ本体１の上面には、回転操作可能なズームレバー４が設けられており、ズームレバー４を回転させることにより、レンズ鏡筒２を広角側或いは望遠側へと移動させて、所望の撮像範囲（画角）を決めることができる。ズームレバー４の中央部にはレリーズボタン５が設けられており、レリーズボタン５を押下することにより、ＣＣＤやＣＭＯＳセンサ等の撮像素子（不図示）により被写体像が撮影される。撮影された画像／映像のデータは、所定の画像処理が施された後に、カメラ本体１に装着された半導体メモリ等の記憶媒体（不図示）に記憶される。
【００１２】
本実施形態に係るデジタルカメラは音声入力用のマイク６を備えており、マイク６から入力された音声データは、画像／映像データと合わせて記憶媒体（不図示）に記憶される。また、カメラ本体１の上面には、操作音や音声を再生するためのスピーカー７が設けられており、記憶媒体に記憶された音声やカメラ本体１に装備されているＲＯＭ（不図示）等に予め格納されている操作音等が再生される。
【００１３】
カメラ本体１の背面（不図示）には、撮像する被写体や撮像された画像／映像を表示する表示部としての液晶ディスプレイが設けられており、カメラ本体１の底面には、カメラ本体１に対して電池を挿抜するための開閉可能な蓋体８が設けられている。また、カメラ本体１の底面には、カメラ本体１を三脚に取り付けるためのネジ部である三脚座（不図示）が設けられており、この三脚座に三脚を取り付けることにより、カメラ本体１を三脚に固定した状態での撮影が可能になる。本実施形態では、三脚座はレンズ鏡筒２の下側の位置に設けられている。
【００１４】
《第１実施形態に係る放熱構造》
図２は、図１のデジタルカメラの正面図である。図２（ａ）は、カメラ本体１の外装を取り外した状態を示す正面図である。レンズ鏡筒２を挟み込むように第１の基板１３ａと第２の基板１３ｂとが配置されている。第１の基板１３ａには、発熱する不図示の電気部品や電子部品（以下「電気部品等」という）が実装されており、この電気部品等を覆うように銅板等の金属からなる導熱部材１１が配置されている。なお、電気部品等としては、デジタルカメラの動作制御を行うＣＰＵ等を備える部品が挙げられる。
【００１５】
電気部品等と導熱部材１１とは、熱伝導性を有するゴム部材等の弾性部材（不図示）によって熱接続されている。レンズ鏡筒２の下側に配置されている三脚座１０は、本実施形態では、金属製である。但し、導熱部材１１と三脚座１０の材質は、熱伝導効率の高いものであればよく、金属に限定されるものではない。
【００１６】
図２（ｂ）は、図２（ａ）の通りに導熱部材１１が組み立てられる前の状態を示す正面図である。また、図３は、デジタルカメラにおける第１実施形態に係る放熱構造を示す断面図であり、三脚座１０周りの第１の構造を示す断面図であり、図２（ａ）に示すＡ−Ａ断面図である。
【００１７】
三脚座１０は、断面形状が略Ｌ字形の庇形状部１８を有しており、導熱部材１１が庇形状部１８の内側まで伸長して接触することにより、熱接続が実現されている。したがって、電気部品等で発生する熱は、導熱部材１１を通して、電気部品等から離れた三脚座１０へと分散しながら伝導する。よって、三脚座１０から外気への放熱を行うことができると共に、外装部材が局所的に熱くなることを抑制することができる。
【００１８】
また、図２（ｂ）に示すように、第１の基板１３ａと第２の１３ｂとを電気的に接続した状態で、フレキシブル基板１２は、三脚座１０の本体部の上側（正面側）を覆うように配置されている。このとき、三脚座１０に庇形状部１８を設けた構造とすることで、図３に示すように、導熱部材１１が庇形状部１８の内側に接触する共に、フレキシブル基板１２は、導熱部材１１と三脚座１０との間に挿入された構造とすることができる。すなわち、本実施形態に係るデジタルカメラでは、導熱部材１１を庇形状部１８とフレキシブル基板１２との間に差し込むだけで、組み立てを行うことができる構成となっている。
【００１９】
《第２実施形態に係る放熱構造》
第２実施形態に係る放熱構造は、第１実施形態に係る放熱構造と比較すると、三脚座１０の庇形状部１８に対する導熱部材１１及びフレキシブル基板１２の配設方法のみが異なっており、その構造について説明することとする。
【００２０】
図４は、図１のデジタルカメラにおける第２実施形態に係る放熱構造を示す断面図であり、三脚座１０周りの第２の構造を示す断面図である。図４は、図３と同様に、図２（ａ）のＡ−Ａ断面を示している。
【００２１】
第２実施形態では、導熱部材１１とフレキシブル基板１２との間に弾性体１４が挟持された構造となっている。導熱部材１１は、弾性体１４によって庇形状部１８に対してより強く接触しており、弾性体１４はフレキシブル基板１２を三脚座１０の本体側へと押し付けている。よって、導熱部材１１を通した熱伝導の効果をより顕著に得ることができる。また、過ってデジタルカメラを落としてしまう等して外部から衝撃が加わった場合でも、フレキシブル基板１２が動いて導熱部材１１の端面等に当たって傷付いてしまうことを防止することができる。
【００２２】
弾性体１４として熱伝導性に優れたものを用いてもよい。この場合、弾性体１４を介した導熱部材１１とフレキシブル基板１２との熱接続により、フレキシブル基板１２上の配線へ熱を逃がすことが可能となり、熱の分散性を更に高めることができる。
【００２３】
なお、導熱部材１１を庇形状部１８に対してより確実に接触させる別の方法として、ネジ等によって固着させる方法が考えられる。しかし、その場合には、導熱部材１１側に雌ネジ形状部を設ける必要があり、そのために導熱部材１１に厚みが必要となり、占有スペースが大きくなるという問題が生じる。また、ネジが導熱部材１１を貫通する構造では、ネジがフレキシブル基板１２を傷付けるおそれもある。これに対して、上述の通りに弾性体１４を用いる構造とすることで、省スペース化が可能になり、フレキシブル基板１２を傷付けることなくデジタルカメラの組み立ても容易に行うことが可能になる。
【００２４】
《第３実施形態に係る放熱構造》
図１のデジタルカメラでは、図２（ａ）に示すように、導熱部材１１を第１の基板１３ａに対してネジ１５により固定している。また、導熱部材１１の支持部１６が、庇形状部１８との接触部とネジ１５の螺合部との間の位置に設けられている。この部分の構造について、以下に、詳細に説明する。
【００２５】
図５は、図１のデジタルカメラにおける第３実施形態に係る放熱構造を示す断面図であり、図２（ａ）中のＢ−Ｂ断面図である。より詳細には、図５には、ネジ１５を完全に螺合させる前に導熱部材１１が支持部１６に支持されると共に、庇形状部１８の内側に接触した状態が示されている。
【００２６】
この状態では、導熱部材１１におけるネジ１５の螺合部の下側には、第１の基板１３ａとの間に隙間が生じている。この図５の状態からネジ１５を締めて螺合させていくと、導熱部材１１は、第１の基板１３ａに接触するまでの間、図５に示す矢印Ｓの方向へと移動しようとする。しかし、導熱部材１１は既に支持部１６に接触して支持されているため、支持部１６を支点として、導熱部材１１における庇形状部１８側の部分が、図５中の矢印Ｐの方向に傾く。つまり、導熱部材１１は既に庇形状部１８と接触しているが、より接触が強められる方向へと傾くため、より強く確実な接触をとることができ、導熱部材１１から庇形状部１８への熱伝導をより効率的に行うことができるようになる。一方、ネジ１５を緩めると、導熱部材１１の庇形状部１８に対する接触が弱くなるため、分解を容易に行うことができる。
【００２７】
なお、導熱部材１１の撓み量は、導熱部材１１の再利用が可能となるように、導熱部材１１の弾性領域の範囲内とすることが望ましい。また、導熱部材１１の支持部１６の位置は、ネジ１５の螺合部と庇形状部１８との間において、ネジ１５を螺合させた際に導熱部材１１が庇形状部１８と接触の度合いが強められる側へと傾く位置とすることが重要である。
【００２８】
《デジタルカメラの耐衝撃構造》
図６は、図１のデジタルカメラの底面図である。図６（ａ）は、図２（ａ）に示した状態での底面図であり、図６（ｂ）は、図６（ａ）中のＣ部の詳細図である。導熱部材１１の三脚座１０の側の端部、つまり、導熱部材１１の庇形状部１８側の先端部には、略直角な曲げ形状を有する引掛け形状部１７が形成されている。
【００２９】
デジタルカメラを落下させてしまったとき等には、図６（ａ）中に矢印Ｒで示される反りを発生させる外力や、導熱部材１１や第１の基板１３ａがレンズ鏡筒２から図６（ａ）中に矢印Ｔで示される方向へ離れるような外力が加わることがある。このとき、導熱部材１１の庇形状部１８側の先端部に引掛け形状部１７を形成しておくと、引掛け形状部１７が庇形状部１８の側面に引っ掛かることで、導熱部材１１が外力を受け止める。このように、導熱部材１１は、本来の上述した放熱機能のみならず、カメラ本体１の剛性を高める役割をも果たす。
【００３０】
なお、図６では引掛け形状部１７を略直角な曲げ形状としているが、これに限られず、庇形状部１８の側面に引っ掛かる形状であれば、どのような形状でもよい。
【００３１】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【００３２】
例えば、上記の実施形態では、庇形状部１８と導熱部材１１の接触する面の形状については特に明記していないが、庇形状部１８と導熱部材１１とは、適切な熱伝導が実現されればどのような形状で接触させてもよい。例えば、庇形状部１８と導熱部材１１とは、平面同士で接触してもよいし、球面同士で接触していてもよい。
【００３３】
また、三脚座１０の上側を通るフレキシブル基板は、上記実施形態ではフレキシブル基板１２の１つだけであるとしたが、複数のフレキシブル基板が三脚座１０の上側を通る構造であってもよい。
【符号の説明】
【００３４】
１    カメラ本体
２    レンズ鏡筒
１０    三脚座
１１    導熱部材
１２    フレキシブル基板
１３ａ    第１の基板
１３ｂ    第２の基板
１４    弾性部材
１５    ネジ
１６    支持部
１７    引掛け形状部
１８    庇形状部
【図１】
2013130625.tif 000003
【図２】
2013130625.tif 000004
【図３】
2013130625.tif 000005
【図４】
2013130625.tif 000006
【図５】
2013130625.tif 000007
【図６】
2013130625.tif 000008